(57)【要約】【課題】  商品衣類に商標や品質等の商品情報を表示する場合に、布タグやプリント等によらなくても、着用感等を損なうことなく商品の生地面に直接表示することができ、製造者とユーザーの双方にとって利点のある商品情報が表示された衣類とその製造方法を提案する【解決手段】  商標、品番、サイズ、素材、洗濯マーク、製造国、製造者、製造日、製造場所、出荷日、販売時期、販売場所、製造責任者から選ばれるいずれか又は複数を組み合わせた商品情報を生地の表側面又は内側面にレーザーにより直接表示したことを特徴とする。【選択図】  図１
2017226938.tif 000002
【特許請求の範囲】
【請求項１】
商標、品番、サイズ、素材、洗濯マーク、製造国、製造者、製造日、製造場所、出荷日、販売時期、販売場所、製造責任者から選ばれるいずれか又は複数を組み合わせた商品情報を生地の表側面又は内側面にレーザー照射により直接表示したことを特徴とする商品情報が表示された衣類の製造方法。
【請求項２】
品番、サイズ、素材、洗濯マーク、製造国、製造者、製造日、製造場所、出荷日、販売時期、販売場所、製造責任者から選ばれる複数を組み合わせた商品情報をレーザーによりこれを番号列又はバーコードに置換して表示してなる請求項１記載の商品情報が表示された衣類の製造方法。
【請求項３】
前記衣類には、ストッキング、パンティストッキング、タイツ、靴下、ならびにショーツやアンダーシャツ、ガードルを含む肌着類、Ｔシャツその他のシャツ類が含まれる請求項１記載の商品情報が表示された衣類の製造方法。
【請求項４】
生地の表側面又は内側面にレーザーにより商標、品番、サイズ、素材、洗濯マーク、製造国、製造者、製造日、製造場所、出荷日、販売時期、販売場所、製造責任者から選ばれるいずれか又は複数を組み合わせた商品情報が直接表示されてなることを特徴とする商品情報が表示された衣類。
【請求項５】
前記衣類がパンティストッキング又はタイツのいずれかであり、そのパンティ部の上縁部外周に形成されたウエストテープの腹側の前側面にレーザーにより商標が直接表示され、あるいはこれと共に又はこれに代えて上記ウエストテープの臀部側の内側面にレーザーによりバックマークが直接表示されてなることを特徴とする商品の前後の判別がしやすい衣類。
【請求項６】
前記衣類がパンティストッキング又はタイツのいずれかであり、そのパンティ部の上縁部外周に形成されたウエストテープの内側面の所定個所に、品番、サイズ、素材、洗濯マーク、製造国、製造者、製造日、製造場所、出荷日、販売時期、販売場所、製造責任者から選ばれる複数を組み合わせた商品情報が置換された番号列又はバーコードのいずれかがレーザーにより直接表示されてなる請求項４又は５に記載の衣類。
【発明の詳細な説明】
【技術分野】
【０００１】
本発明は、商品情報が表示された布タグやバックマーク、織りネーム等の生地片を商品に縫い付けることなく、商標や品質等の商品情報を商品に直接表示した衣類とその製造方法に関するものである。
【背景技術】
【０００２】
現在、衣類における商品情報は、家庭用品品質表示法や不当景品類及び不当表示防止法等によって、サイズや素材、洗濯マーク、製造国、製造者名等（以下、「品質等」という）の情報を表示する義務があり、一般的に、衣類の適当な個所、例えば、後首（襟首）部や脇下部、ウエスト部の内側等に上記の品質等の情報が表示された布タグ類（以下、織りネームを含む。）を縫着している。
【０００３】
また、衣類の中でもパンティストッキングやタイツ、ソックス等の靴下類に関しては、法律上、品質等の情報が表示された布タグを縫着しなくても、そのパッケージや紐付き紙製下げ札（これもタグといわれる）に前記情報を印刷表示すれば良いものとされ、商品自体には上記布製タグはついていない場合が多い。
【０００４】
また、パンティストッキングやタイツのように、着用するときに、一目ではその前後を区別することが難しい商品では、ウエストテープの内側部分や、パンティー部を縫製するときに臀部側布の内側にその目印としていわゆる「バックマーク」と呼ばれる布タグを縫合する場合もある。
【０００５】
また、上半身に着用する肌着やシャツ、Ｔシャツ等の場合には、商標等を表示した布製のプリント生地や織りネームを後首部内側に横方向に縫着する場合もある。
【０００６】
しかし、上記のような布タグ類を衣類に縫着することは、手間とコストがかかるだけでなく、タグが外側に飛び出して見栄えが悪くなり、更にタグが直接肌に当たってチクチクしたり、痒くなったりして、着用感が悪くなり、ユーザー自身がタグを切り取ってしまうケースもある。
【０００７】
さらには、経年使用により、布タグが劣化して、表示された文字が見え難くなったり、縫着個所が解れてしまう場合もある。
【０００８】
また、布タグの代わりに衣類に品質等の情報を直接プリントする場合もあるが、経年使用によりプリントした部分がひび割れしたり、剥がれ落ちてしまう虞れがある。しかも、プリントは版を作るので設定変更は簡単には行えず、ある程度のロットを確保する必要がある。そのため、ロスが発生し、コストがかかってしまうのが実情である。
【０００９】
また、インクジェットプリンタ−では版を作らなくて済むが、衣料品の安全性の確保のため、インクの選択や塗布量など管理が難しい。しかも、インクの色が限定されて、商品の色によっては視認性が著しく低下する。
【００１０】
さらに、いずれの表示方法であっても、デザイン性や着用感を重視する衣類にあっては、法律で定められた範囲以外で品質等の情報を表示するに止まり、製造日、製造者名、製造工場、出荷日、販売時期、販売場所のような詳細な商品情報までを衣類に直接表示することは不向きである。
【００１１】
従って、商品パッケージ等を廃棄してしまった商品や製造販売が終了した過去の商品等について、ユーザーから問合せを受けたとき、情報の少なさから、ユーザーの記憶を頼りに製造者が商品を特定する必要があり、ユーザーへの対応や自社商品の品質管理等を迅速かつ的確に行うことができない状況にあった。
【先行技術文献】
【特許文献】
【００１２】
【特許文献１】なし。
【非特許文献】
【００１３】
【非特許文献１】なし。
【発明の概要】
【発明が解決しようとする課題】
【００１４】
本発明は、商品衣類に商標や品質等の商品情報を表示する場合に、布タグやプリント等によらなくても、着用感等を損なうことなく商品の生地面に直接表示することができ、製造者とユーザーの双方にとって利点のある商品を提案するものである。
【課題を解決するための手段】
【００１５】
そのため、本発明にあっては、必要な商品情報をレーザーによって衣類に直接表示するようにしたことを特徴とする。
【００１６】
具体的には、家庭用品品質表示法等に定められた商品情報（サイズ、素材、洗濯マーク、製造国、製造者名、住所、連絡先等）あるいは商標、さらには必要によって模様等を、一般には合成樹脂やゴム、木材、紙、ガラス等の素材に対して行われるレーザー照射機を使用して、これを衣類の生地面にレーザーを直接当てて商品情報を表示するものである。
【００１７】
この場合、レーザー照射機としてはいわゆる「レーザーマーカー」を使用する。ここに「レーザーマーカー」とは、高熱のレーザー光を使って対象物へ印字・加工をするマーキング機器のこといい、いわばレーザーによって生地に焼印を押すようなものであり、本発明における「衣類」とは、ストッキング、パンティストッキング、タイツ、靴下、肌着、シャツ、Ｔシャツその他のシャツ類等のほか、衣類全般を指し、またその素材についても、綿、ナイロン、ポリウレタン、ポリエステル、あるいはそれらの混紡等、あらゆる素材の衣類が含まれる。
【００１８】
レーザーマーカーによって表示する情報は、家庭用品品質表示法等に定められた品質等の商品情報のみならず、商標や模様も直接表示することもでき、これらは任意に選択され、商標の表示に関しては、従来はプリントや織りネーム、刺繍、添え糸編み等で表示する場合も多く、例えば肌着等は、従来襟首の内側に織りネームを横方向に縫着していたものを、これに代えて、同じ部分に直接レーザーで商標を表示することが可能となる。
【００１９】
また、パンティストッキングやタイツ、ソックス、あるいはショーツやアンダーシャツ、ガードルなどの肌着等で、その前後又は左右が区別し難い衣類においては、商標や前記商品情報あるいは模様を生地面にレーザーマーカーで直接表示することにより、布タグを使用しないで前後又は左右を区別するための目印とすることができる。
【００２０】
さらに、型番や製造日、製造場所、出荷日、販売時期、販売場所、監督責任者等のいずれか、あるいはこれらを組み合わせた情報を、バーコードあるいは番号列に置換し、これを衣類の生地面の外側又は内側の任意の個所に直接レーザーで表示することもでき、衣類のデザイン性に影響を与えることなく表示することが可能となる。
【００２１】
レーザーマーカーで表示する位置については、衣類のどの部分であっても良く、その情報や衣類の種類によって任意に設定することができる。商標であれば目立つ位置（表側）に、品質等の情報は裏側に表示する。例えば、靴下（ソックス）では、履き口部や足裏部に商標を表示し、パンティストッキングやタイツでは、ウエストテープの腹部側前面に商標を表示し、品質等の商品情報又は前記バーコード等はそのウエストテープの臀部側内面等に表示することが考えられる。
【００２２】
また、製造者（管理者）は、前記バーコードや番号列から前記情報を入手し、当該商品の製造時点からの経緯を追跡することができるので、ユーザーへの対応や自社製品の品質管理等を迅速かつ的確に行うことが可能となるのである。
【発明の効果】
【００２３】
このように、本発明に係る衣類によれば、商標や品質等の商品情報が表示された布タグを使用せずに、必要な商品情報をレーザー光を当てて衣類の生地面の任意の個所に直接表示するので、コストや手間がかからず、着用感の悪化や経年使用による布タグの脱落、洗濯等による印刷個所の劣化等が発生することもないのである。
【００２４】
また、品番、製造日、製造場所、出荷日、販売時期、販売場所、製造責任者のいずれか又はこれらを組み合わせた情報が組み込まれたバーコード又は番号列をレーザーにより衣類の生地面の例えば裏側に表示すれば、製造者（管理者）が前記バーコードあるいは番号列から前記情報を入手して、当該商品の製造時からの流れを追跡することが可能となり、ユーザーへの対応や自社製品の品質管理等を迅速かつ的確に行うことができるのである。
【００２５】
さらに、布タグ等に印刷等で商品表示を行うときには、設定変更が簡単には行えず、ある程度のロット数を確保する必要があるが、レーザーを使用して商品に直接表示する場合には、プログラミングにより簡単に設定変更ができるため、商品の不要分を容易に省くことができる。
【００２６】
また、着用の際に前後が分り難いパンティストッキング等では、バックマークの布タグを臀部側の縫目に縫合しなくても、例えばパンティストッキング上縁部のウエストテープの後側内面にバックマークをレーザーで表示したり、あるいは該ウエストテープの腹側前面にだけに商標を表示することにより、容易に前後が判別できるようになる。
【図面の簡単な説明】
【００２７】
【図１】本発明をパンティストッキングに適用した状態の説明的斜視図である。
【図２】本発明を綿ソックスに適用した状態の説明図である。
【発明を実施するための形態】
【００２８】
以下、本発明の実施例として、パンティストッキング及び綿ソックスを例に挙げて添付の説明的斜視図である図１〜２により説明する。
【００２９】
図１は極薄生地の肌色系のパンティストッキングに使用した例で、包装前の最終製品に対し、パンティ部１上縁部外周を内側に折り返して内外二重に形成されてなるウエストテープ２の例えば前面（腹側）の縦中心縫目線３の左右両側に、例えば商標「ATSUGI」(本出願人の登録商標)の文字４をＣＯ２レーザー等のレーザーマーカーによって表示する。これにより、着用の際に前後が分かり難いパンティストッキングでも、この商標表示４がいわゆる「フロントマーク」となる。また、これと共に、あるいはこれに代わり、例えばウエストテープ２の臀部側の縦中心縫目線３ａの左右いずれかの内面に「BACK」の文字５をレーザー光により表示すれば、これがいわゆる「バックマーク」となる。
【００３０】
また、ウエストテープ２の例えば臀部側内面にレーザーによって形成された複数桁の番号列６あるいはバーコードを表示し、これにより型番や製造年月日、製造場所、出荷日、販売時期、販売場所、監督責任者等を内容表示できるようにすることもできる。これらの内容表示をパンティストッキングのウエストテープ内側に表示させることで、着用時に外側に透けて見えることもなく、番号列６やバーコード等が表示されていることが、外側からは分からないものとなる。
【００３１】
さらに、ウエストテープ２外側の前面や側面には、商標だけでなく、ワンポイント柄等を同時に表示させるようにしても良い。
【００３２】
また、上記した点は、使用する編糸がパンティストッキングよりやや太いタイツについても、まったく同様であり、さらにレギンスやトレンカなど、パンティ部を有するストッキング類の全てに適用できる。
【００３３】
なお、本発明の実施に当たっては、レーザーマーカーとして例えば「ＣＯ2レーザー」を使用し、レーザーを照射する時間や出力は、衣類の素材や厚さ、表示部分の大きさ、使用するレーザーマーカーの機種等によって異なるが、例えば商標「ATSUGI」を表示する場合、ローマ字を１文字づつ表示して行くが、１１〜１３Ｗの出力でおよそ３〜５秒間で表示が完了する。レーザーの出力や照射時間が少な過ぎると、商標や商品表示等が薄過ぎて判別できず、また多過ぎると、商品生地自体が融解したり焦げたりして、孔をあけてしまう恐れがある。
【００３４】
また、前記番号列６やバーコードには、品番や製造日、製造場所、出荷日、販売時期、販売場所、監督責任者等のいずれか又はこれらを組み合わせた情報が組み込まれており、製造者（管理者）がこれらの情報を予め管理しておけば、この番号列６やバーコードを読み込むことで前記情報を容易に入手することができる。
【００３５】
そして、当該商品の製造時からのその後の流れを追跡することができるようになり、ユーザーへの対応や自社製品の品質管理等を迅速かつ的確に行うことが可能となるのである。
【００３６】
また、バーコードの種類については、ＪＡＮコード、ＩＴＦコード、ＮＷ−７、ＭａｘｉＣｏｄｅ、ＧＳＩデータバー等から適宜選択すればよく、特に限定されるものではない。
【００３７】
このように、パンティストッキングのパンティ部１のウエストテープ２の外側あるいは内側にレーザーマーカーで商標や商品の品質等の内容を表示すると、その表示部分は、あたかも焼印を押したかのように、生地の地色（肌色）よりも濃くなって、パンティストッキングの前後や上記した商品内容等が判別可能となり、商品の品質を低下させることなく、しかも商品の面にはほとんど凹凸もなくフラットのままであり、着用感等を損ねることもないのである。
【００３８】
図２は、本発明を綿ソックスに使用した例を示すもので、白色綿リブソックス７の生地表面に商標「ASTIGU」(本出願人の登録商標)８と型番「ＦＢ」９をレーザーによって表示したものである。
【００３９】
上記商標「ASTIGU」８はこの図の例では、フット部１０の外側部分と外側に折り返した足首部の外側先端部との２個所に表示され、また型番「ＦＢ」９はフット部１０外側部分の商標８の横にやや小さく表示されている。
【００４０】
ただし、フット部１０に表示された商標８は、この表示位置では、着用した際に足裏部の接地面となってしまうので、こすれたり汚れたりするから、足裏部の土踏まず部分やもっと甲側に近い部分に表示した方が好ましい。
【００４１】
また、外側に折り返してなる足首部外側にだけ商標「ASTIGU」８ａを表示すれば、このソックス７の左右が判別でき、特に爪先部の全体形状に合わせて形成された左右非対称のソックスにあっては、ソックスの左右が簡単に判別できる。
【００４２】
さらに、足首部を折り返さないソックスでは、その上端部の外側に商標８ａを表示する。
【００４３】
上記表示を行うレーザーマーカーは、前記したパンティストッキングについて実施したレーザー機を使用でき、その出力や照射時間も前記とほぼ同様の範囲ではっきり表示でき、この白色綿ソックス７では商標８，８ａや型番９は、黄色味がかった茶色ではっきり表示された。
【００４４】
このように、本発明によれば、商品の色によってインクを使い分ける必要がなく、レ−ザ−の加工条件の設定を適正化するだけで、素材を選ばず印字ができるのである。
【符号の説明】
【００４５】
１−パンティストッキングのパンティ部
２−ウエストテープ
３−縦中心縫目線
４−商標
５−バックマーク
６−番号列
７−綿ソックス
８−商標
９−型番
１０−フット部
【図１】
2017226938.tif 000003
【図２】
2017226938.tif 000004